(57)【要約】【課題】全体の構成が簡易で使い勝手が良く、確実且つ強固に座部に取付けることのできる浴室用椅子の背もたれの取付構造及びこれを備えた浴室用椅子を提供する。【解決手段】後部側上面に凹部１０が設けられた座部２と、前記凹部１０に着脱自在に嵌入される凸状部が設けられた背もたれと、該凸状部の底部又は前記凹部１０の底部の何れか一方に設けられる凹溝１１と、該凹溝１１に嵌合すべく前記凸状部の底部又は前記凹部１０の底部の何れか他方に設けられる嵌合凸部２８とを備えている。【選択図】図４
2010200785.tif 000002
【特許請求の範囲】
【請求項１】
後部側上面に凹部が設けられた座部と、
前記凹部に着脱自在に嵌入される凸状部が設けられた背もたれと、
該凸状部の底部又は前記凹部の底部の何れか一方に設けられる凹溝と、
該凹溝に嵌合すべく前記凸状部の底部又は前記凹部の底部の何れか他方に設けられる嵌合凸部と、を備えてなることを特徴とする浴室用椅子の背もたれの取付構造。
【請求項２】
前記凹溝が、座部又は背もたれの幅方向に設けられる第１凹溝と、該第１凹溝に略垂直に交差させて連設される第２凹溝とを備えると共に、
嵌合凸部が、前記第１凹溝に嵌合する第１嵌合凸部と、前記第２凹溝に嵌合する第２嵌合凸部とを備えた請求項１記載の浴室用椅子の背もたれの取付構造。
【請求項３】
前記凹溝及び嵌合凸部が、凹部又は凸状部の幅方向に所定間隔を有して一対形成された請求項１又は２記載の浴室用椅子の背もたれの取付構造。
【請求項４】
前記凹部が、座部の幅方向に所定間隔を有して一対形成され、且つ、
前記背もたれが、人の背中を保持する背もたれ本体と、該背もたれ本体に幅方向に所定間隔を有して下向きに設けられる一対の支柱と、該支柱の下端部間に架設されて前記座部上に配されると共に、底部に前記凸状部が所定間隔を有して一対設けられる基部とを備えた請求項１乃至３の何れか一つに記載の浴室用椅子の背もたれの取付構造。
【請求項５】
請求項１乃至４の何れか一つに記載の浴室用椅子の背もたれの取付構造を備えた浴室用椅子。
【発明の詳細な説明】
【技術分野】
【０００１】
本発明は、例えば高齢者、病人、身障者等が浴室内で使用する浴室用椅子の背もたれの取付構造及びこれを備えた浴室用椅子に関するものである。
【背景技術】
【０００２】
従来、この種の浴室用椅子としては、例えば次のようなものが存在する。即ち、この従来のものは、座部と、背もたれと、脚部とから構成されている。背もたれは、背中を保持する板状の背もたれ本体と、該背もたれ本体の背面に設けられる一対のパイプ支柱とからなっている。かかるパイプ支柱は前方に向けて折曲形成されており、その先端部を座部の裏面に固定した接続パイプの後端部に挿着して取付けられている。
【０００３】
また、パイプ支柱の先端部には、先端部側程縮径するテーパ状の傾斜部と、該傾斜部に延設された直管部とが設けられており、該直管部の側面に突設された係止ピンが前記接続パイプに設けられた係止孔に係止されている。更に、接続パイプの先端に嵌挿された圧迫リングの一端部内周面にはテーパ面が形成されており、これを前記パイプ支柱の傾斜部に係合させることにより、該パイプ支柱を接続パイプに固定している（特許文献１参照）。
【先行技術文献】
【特許文献】
【０００４】
【特許文献１】実用新案登録第３０８７２６０号公報
【発明の概要】
【発明が解決しようとする課題】
【０００５】
しかしながら、上記従来のものに於いては、パイプ支柱を座部に固定するために、別途接続パイプ、係止ピン及び圧迫リング等の多数の部材が必要となる。しかも、これらの各部材は特殊な構成からなるために、製作費用が必要以上に嵩んでしまうという大なる問題点があった。
【０００６】
また、パイプ支柱を接続パイプに接続する際には、該接続パイプを含めた椅子本体を保持しつつ、両パイプ支柱を接続パイプに挿入しなければならないために、組立作業が非常に厄介なものになるという難点も有していたのである。
【０００７】
それ故に、本発明はかかる点に鑑みてなされたものであり、その目的とするところは、全体の構成が簡易で使い勝手が良く、確実且つ強固に座部に取付けることのできる浴室用椅子の背もたれの取付構造及びこれを備えた浴室用椅子を提供することにある。
【課題を解決するための手段】
【０００８】
本発明に係る背もたれの取付構造は、後部側上面に凹部が設けられた座部と、前記凹部に着脱自在に嵌入される凸状部が設けられた背もたれと、該凸状部の底部又は前記凹部の底部の何れか一方に設けられる凹溝と、該凹溝に嵌合すべく前記凸状部の底部又は前記凹部の底部の何れか他方に設けられる嵌合凸部とを備えたものである。
【０００９】
このような背もたれの取付構造に於いては、背もたれの凸状部を座部の凹部に嵌入して両部材を簡単に取付けることができる。また、凸状部又は凹部の底部の何れか一方に設けた凹溝に、凸状部又は凹部の底部の何れか他方に設けた嵌合凸部が嵌合することになる。
【００１０】
従って、例えば寸法誤差等により凹部の内側面と凸状部の外側面間に隙間が形成されてしまうような場合であっても、前記凹溝と嵌合凸部との嵌合によって、背もたれをがたつかせることなく座部に取付けることができる。
【００１１】
また、これにより背もたれの凸状部に於ける変形の発生が抑制されるために、単に背もたれの凸状部を座部の凹部に嵌入した場合と比較して、その取付強度が大幅に向上することになる。その結果、使用者に不安感や不快感等を与えることなく、安全で且つ快適な入浴が可能となる。
【００１２】
また、背もたれの凸状部は座部の凹部に着脱自在に嵌入されているために、その分解及び組立が可能である。これにより、各構成部材を分解した状態で保管できると共に、この状態で搬送することが可能になる。従って、保管スペースの削減や搬送費の軽減を図ることができる。
【００１３】
更に、座部と背もたれとの組立に際して、上記のような共通の取付構造を採用すれば、形状その他の仕様が相違する座部と背もたれとを任意に組合わせることが可能になる。これにより、使用者の選択肢が広がって、好みの浴室用椅子を入手できるのである。
【００１４】
また、前記凹溝に座部又は背もたれの幅方向に設けられる第１凹溝と、該第１凹溝に略垂直に交差させて連設される第２凹溝とを備えさせると共に、嵌合凸部に前記第１凹溝に嵌合する第１嵌合凸部と、前記第２凹溝に嵌合する第２嵌合凸部とを備えさせるようにしてもよい。
【００１５】
これによれば、第１凹部と第１嵌合凸部との嵌合により、背もたれの前後方向のがたつきの発生が規制されると共に、第２凹溝と第２嵌合凸部との嵌合により、背もたれの左右方向（幅方向）のがたつきの発生が規制される。即ち、凹溝と嵌合凸部との嵌合によって、前後左右のがたつきが規制された状態で、背もたれを座部に取付けることができるのである。
【００１６】
更に、前記凹溝及び嵌合凸部は、凹部又は凸状部の幅方向に所定間隔を有して一対形成することもできる。
【００１７】
これによると、凹溝と嵌合凸部との嵌合による背もたれと座部間のがたつきの規制が、より一層確実なものとなる。
【００１８】
また、前記凹部を座部の幅方向に所定間隔を有して一対形成し、且つ、前記背もたれに、人の背中を保持する背もたれ本体と、該背もたれ本体に幅方向に所定間隔を有して下向きに設けられる一対の支柱と、該支柱の下端部間に架設されて前記座部上に配されると共に、底部に前記凸状部が所定間隔を有して一対設けられる基部とを備えさせてもよい。
【００１９】
この場合は、背もたれに設けた一対の凸状部が座部の各凹部に夫々嵌入されて、背もたれの基部が座部上に配された状態で座部と背もたれとが取付けられることになる。
【００２０】
更に、本発明に係る浴室用椅子は、前記背もたれの取付構造を備えたものである。
【発明の効果】
【００２１】
以上のように、本発明に係る浴室用椅子の背もたれの取付構造及びこれを備えた浴室用椅子は、全体の構成が簡易で且つ安価に製作することができると共に、座部に背もたれを確実且つ強固に取付けることができる。
【図面の簡単な説明】
【００２２】
【図１】本発明の一実施形態を示す浴室用椅子を示し、（ａ）は正面図で、（ｂ）は側面図である。
【図２】同座部の平面図である。
【図３】同背もたれを示し、（ａ）は正面図で、（ｂ）は底面図である。
【図４】同嵌合凸部の凹溝への嵌合状態を示す断面図である。
【図５】同ロックピンの斜視図である。
【発明を実施するための形態】
【００２３】
以下、本発明に係る背もたれの取付構造の一実施形態について、図面に従って説明する。図１に示す浴室用椅子１は、上面に人が着座する座部２と、該座部２の後部側に取付けられる背もたれ３と、前記座部２の四隅部分に下向きに取付けられる脚部４とを備えている。座部２と背もたれ３とは、例えばポリエチレン樹脂やポリプロピレン樹脂等の合成樹脂で構成されており、脚部４はステンレスやアルミニウム等の金属製パイプで構成されている。
【００２４】
座部２の後部側上面には、図２に示すように、平面略台形状で且つ有底状に形成された一対の凹部１０が、幅方向に所定間隔を有して設けられている。また、各凹部１０の底部の後部側隅部分には、一対の凹溝１１が対称に設けられている。この凹溝１１は上下に貫通しており、幅方向に設けられる第１凹溝１１ａと、該第１凹溝１１ａに略垂直に交差させて連設される第２凹溝１１ｂとからなる平面略Ｌの字状に形成されている。また、凹部１０の略中央には水切り用小孔１２が設けられている。
【００２５】
凹溝１１、１１間に位置する座部２の略中央には、長孔１３が前後方向に形成されている。また、座部２の所定位置には、図１に示すように、発泡ＥＶＡ等からなる着座パッド１４を取付けるための取付用円孔１５と、水切り用円孔１６とが複数形成されている。更に、座部２の四隅には下部開口状の筒状部１７が設けられている。
【００２６】
背もたれ３は、図３に示すように、人の背中を保持する背もたれ本体２０と、該背もたれ本体２０の幅方向に所定間隔を有して下向きに突設される一対の支柱２１、２１と、該支柱２１、２１の下端部間に架設される略平板状の基部２２と、該基部２２の下面両端部に下向きに突設される一対の凸状部２３、２３とを備えている。
【００２７】
背もたれ本体２０の略中央部には、幅方向に把持用の長円形孔２４が形成されると共に、その下部側方位置には一対の取付用円孔２５、２５が幅方向に所定間隔を有して形成されている。背もたれ本体２０の前面には、図１に示すように、取付用円孔２５を介して発泡ＥＶＡ等からなる背もたれパッド２６が着脱自在に取付けられる。凸状部２３は中空状に形成されており、座部２の凹部１０に着脱自在に嵌入される。その際、基部２２の下面が座部２の上面に当接するように配されると共に、基部２２の略中央に形成した長孔２７が座部２の長孔１３と一致するように構成されている。
【００２８】
また、各凸状部２３の後部側両隅部には、前記座部２の凹溝１１、１１に嵌合する一対の嵌合凸部２８、２８が下向きに突設されている。即ち、図４に示すように、嵌合凸部２８は断面略Ｌの字状の形成されており、座部２の第１凹溝１１ａが嵌合する第１嵌合凸部２８ａと、第２凹部１１ｂが嵌合する第２嵌合凸部２８ｂとを備えている。また、座部２と背もたれ３との取付状態は、これら各部材２、３の長孔１３、２７に挿着されたロックピン２９により維持される。かかるロックピン２９は、図５に示すように、把持部３０に棒状の軸部３１を介して正面略半円状の離脱防止部３２が設けられたものであり、離脱防止部３２の回動により各長孔１３、２７からのロックピン２９の離脱が阻止されて、座部２と背もたれと３が固定される。
【００２９】
前記座部２の各筒状部１７に着脱自在に挿着された脚部４は、図１に示すように、連結具４０を介して伸縮自在に連結された一対のパイプからなる脚部本体４１と、該脚部本体４１の下端部に装着されたゴム製の滑り止め４２とを備えている。
【００３０】
本実施形態に係る浴室用椅子１は、以上のように構成されている。このような浴室用椅子１に於いては、座部２の第１凹溝１１ａと背もたれ３の第１嵌合凸部２８ａとの嵌合により、背もたれ３の前後方向のがたつきが規制されると共に、座部２の第２凹溝１１ｂと第２嵌合凸部２８ｂとの嵌合により、背もたれ３の左右方向（幅方向）のがたつきが規制される。従って、例えば寸法誤差等により凹部１０の内側面と凸状部２３の外側面間に隙間が形成されてしまうような場合であっても、前記凹溝１１と嵌合凸部２８との嵌合によって、背もたれ３を前後左右にがたつかせることなく座部２に取付けることができる。
【００３１】
また、これにより背もたれ３の凸状部２３に於ける変形の発生が抑制されるために、単に背もたれ３の凸状部２３を座部２の凹部１０に嵌入した場合と比較して、その取付強度が大幅に向上することになる。その結果、使用者に不安感や不快感等を与えることなく、安全で且つ快適な入浴が可能となるのである。
【００３２】
更に、座部２の凹部１０に設けた凹溝１１は貫通して形成されているために、その洗浄の際に水切りとしての機能を発揮するのは勿論のこと、洗浄具等を使用した洗浄が容易に且つ的確に行えるという洗浄面に於ける利点がある。尚、背もたれ３のがたつき防止手段としては、例えば座部２の凹部１０の内側面に、背もたれ３の凸状部２３の外側面に当接する複数のリブを設けたり、該凸状部２３内に嵌合する凸部を座部２の凹部１０に設けることも考えられるが、このように構成すると、該凹部１０の洗浄が困難になるという欠点を有しており、これらの手段は必ずしも最適ながたつき防止手段とは言うことはできない。
【００３３】
また、背もたれ３の凸状部２３は座部２の凹部１０に着脱自在に嵌入されているために、その分解及び組立が可能である。これにより、各構成部材を分解した状態で保管できると共に、この状態で搬送することが可能になる。従って、保管スペースの削減や搬送費の軽減を図ることができる。
【００３４】
更に、座部２と背もたれ３との組立に際して、上記のような共通の取付構造を採用すれば、形状その他の仕様が相違する座部２と背もたれ３とを任意に組合わせることが可能になる。これにより、使用者の選択肢が広がって、好みの浴室用椅子１を入手できるのである。
【００３５】
また、本実施形態に係る背もたれ３の取付構造及びこれを備えた浴室用椅子１は、全体の構成が非常に簡易であるために、容易に且つ安価に製作できるという実用的な利点もある。
【００３６】
尚、上記実施形態に於いては、座部２に凹溝１１を設けると共に、これに嵌合する嵌合凸部２８を背もたれ３に設けて構成したが、本発明はこれに限定されるものではない。例えば、座部２に嵌合凸部を設けると共に、背もたれ３に凹溝を設けるようにしてもよい。但し、浴室用椅子１の洗浄という点を考慮すると、上記実施形態のように、座部２側に凹溝１１を設けると共に、該凹溝１１を貫通させて形成するのが望ましい。
【００３７】
また、上記実施形態では、凹溝１１を幅方向に設けられる第１凹溝１１ａと、該第１凹溝１１ａに略垂直に交差させて連設される第２凹溝１１ｂとからなる平面略Ｌの字状に形成している。これに伴い、嵌合凸部２８を前記座部２の第１凹溝１１ａが嵌合する第１嵌合凸部２８ａと、第２凹部１１ｂが嵌合する第２嵌合凸部２８ｂとからなる断面略Ｌの字状に形成している。そして、凹部１０には一対の凹溝１１を設けると共に、凸状部２３には一対の嵌合凸部２８を設けるように構成している。しかるに、凹溝１１及び嵌合凸部２８の形状や、数等は決してこれに限られるものではない。例えば、凹溝１１及び嵌合凸部２８は断面略Ｌの字状ではなく、断面略Ｔの字状や円弧状等に形成することも可能であり、その数も単数或いは３個以上で構成することも勿論可能である。
【００３８】
更に、本発明に係る背もたれ３の取付構造は、種々の浴室用椅子に対して幅広く適用可能であることは言う迄もない。
【００３９】
その他、座部２、背もたれ３及び脚部４の形状等の具体的な構成も、本発明の意図する範囲内に於いて任意に設計変更自在である。
【符号の説明】
【００４０】
１        浴室用椅子
２        座部
３        背もたれ
１０        凹部
１１        凹溝
１１ａ      第１凹溝
１１ｂ      第２凹溝
２０        背もたれ本体
２１        支柱
２２        基部
２３        凸状部
２８        嵌合凸部
２８ａ      第１嵌合凸部
２８ｂ      第２嵌合凸部
【図１】
2010200785.tif 000003
【図２】
2010200785.tif 000004
【図３】
2010200785.tif 000005
【図４】
2010200785.tif 000006
【図５】
2010200785.tif 000007